(57)【要約】【課題】秘匿することが厳しく要求される個人情報としての生体情報の漏洩を防ぐことができる。【解決手段】生体情報管理システム１は、利用者の生体情報を測定する測定装置２と、利用者の生体情報を管理する生体情報管理装置３とが互いに情報を送受信する生体情報管理システム１であって、測定装置２は、利用者の生体情報に関する測定値を複数回、測定する生体情報測定部２２と、複数回にわたって測定された測定値の差分である測定差分値を算出する算出部２５と、生体情報測定部２２によって測定された、少なくとも１回の測定における測定値、及び測定差分値を記憶する記憶部２６と、測定差分値を生体情報管理装置に送信する第１通信部２９と、を備え、生体情報管理装置は、第１通信部２９によって送信された測定差分値を受信する第２通信部３１を備える。【選択図】図１
2018166700.tif 000002
【特許請求の範囲】
【請求項１】
利用者の生体情報を測定する測定装置と、前記利用者の生体情報を管理する生体情報管理装置とが互いに情報を送受信する生体情報管理システムであって、
前記測定装置は、
利用者の生体情報に関する測定値を複数回、測定する生体情報測定部と、
複数回にわたって測定された前記測定値の差分である測定差分値を算出する算出部と、
前記生体情報測定部によって測定された、少なくとも１回の測定における測定値、及び前記測定差分値を記憶する記憶部と、
前記測定差分値を前記生体情報管理装置に送信する第１通信部と、を備え、
前記生体情報管理装置は、
前記第１通信部によって送信された前記測定差分値を受信する第２通信部を備えることを特徴とする生体情報管理システム。
【請求項２】
前記測定装置は、
前記利用者についての複数の前記測定差分値に基づいて前記利用者の健康状態を判定し、前記健康状態に対応する要注意情報を生成する判定部と、
前記要注意情報を出力する出力部と、
をさらに備えることを特徴とする請求項１に記載の生体情報管理システム。
【請求項３】
前記生体情報管理装置は、
前記利用者についての複数の前記測定差分値に基づいて前記利用者の健康状態を判定し、前記健康状態に対応する要注意情報を出力する判定部をさらに備え、
前記第２通信部は、前記要注意情報を前記測定装置に送信することを特徴とする請求項１に記載の生体情報管理システム。
【請求項４】
前記測定装置は、洗面所に配置されることを特徴とする請求項１から３のいずれか一項に記載の生体情報管理システム。
【請求項５】
前記記憶部に記憶されている前記測定値は暗号化されていることを特徴とする請求項１から４のいずれか一項に記載の生体情報管理システム。
【請求項６】
前記第２通信部は、専門機関装置から送信された差分データ要求に基づいて、前記利用者についての前記測定差分値と、前記利用者を識別するための利用者ＩＤとを含む差分データを前記専門機関装置へ送信することを特徴とする請求項１から５のいずれか一項に記載の生体情報管理システム。
【請求項７】
前記生体情報管理装置は、
複数の前記利用者それぞれについての差分データと、専門機関装置から送信された複数の前記利用者それぞれの症状識別情報とに基づいて、前記差分データと前記症状との相関を推定する相関推定部を備え、
前記第２通信部は、前記相関推定部によって推定された前記相関を示す相関データを前記専門機関装置に送信することを特徴とする請求項１から６のいずれか一項に記載の生体情報管理システム。
【請求項８】
利用者の生体情報に関する測定値を複数回、測定する生体情報測定部と、
複数回にわたって測定された前記測定値の差分である測定差分値を算出する算出部と、
前記生体情報測定部によって測定された、少なくとも１回の測定における測定値、及び前記測定差分値を記憶する記憶部と、
前記測定差分値を生体情報管理装置に送信する第１通信部と、
を備えることを特徴とする測定装置。
【請求項９】
測定装置により、利用者の生体情報を測定する測定方法であって、
利用者の生体情報に関する測定値を複数回、測定するステップと、
複数回にわたって測定された前記測定値の差分である測定差分値を算出するステップと、
前記測定された、少なくとも１回の測定における測定値、及び前記測定差分値を記憶するステップと、
前記測定差分値を生体情報管理装置に送信するステップと、
を含むことを特徴とする測定方法。
【発明の詳細な説明】
【技術分野】
【０００１】
本発明は、生体情報管理システム、生体情報管理装置、及び生体情報管理方法に関する。
【背景技術】
【０００２】
従来、冬季に、住宅内の死亡事故が増加することが知られている。生活空間での温度差を引き金として心筋梗塞、脳梗塞など循環器系障害が発生することが大きな原因であり、交通事故の死亡者の３〜４倍に相当する。これらの原因となる温度差は近年の住宅の断熱強化及び暖冷房設備の運転により解消されつつある。
【０００３】
また、近年、住宅が居住者の健康にかかわることで病気の早期発見を試みることが提案されている。投薬治療、通院に至る前に健康状態を改善することができれば、居住者の人生の充実に貢献することができると考えられる。このため、居住者のストレスを最大限排除して、健康状態を測定することが極めて重要である。居住者が何らかのデータを入力する、計測機器を作動させる、体に取り付けるなどの行為をすることは、システムに興味のある初期や治療期間でチェックが必要な期間においては実行されるが、継続されることは稀であると思われる。多くの家庭に設置されている体重計であっても、使われなくなるケースは散見され、邪魔にさえなっている。
【０００４】
例えば、特許文献１には、測定した血圧等を健康診断センタに送信し、該健康診断センタから健康判定結果及び改善指示を受信することが記載されている。また、特許文献２には、ユーザーの健康及び美容の状態と、該ユーザーの行動履歴とに基づいて、健康美容行動の効果を評価することが記載されている。
【先行技術文献】
【特許文献】
【０００５】
【特許文献１】特開２００５−６５８１２号公報
【特許文献２】特開２０１５−２０４０３３号公報
【発明の概要】
【発明が解決しようとする課題】
【０００６】
しかし、特許文献１に記載の技術においては、血圧を測定する際に指に血脈体サックを指に装着する必要があり、他にも装着する装置が多くユーザーの手間が多いため、ユーザーに毎日行わせるには問題がある。また、特許文献２に記載の技術においては、健康美容計測情報と行動履歴とを関連付けた情報を処理するものであって複雑な処理を必要とする問題がある。
【０００７】
さらに、血圧等の生体情報を記憶したり、通信ネットワークを介して送信したりする場合、該生体情報を記憶する装置に不正にアクセスされたり、通信ネットワーク上で盗聴されたりといった漏洩のリスクがある。そのため、秘匿することが厳しく要求される個人情報としての生体情報の漏洩を防ぐことが要求される。
【０００８】
かかる事情に鑑みてなされた本発明の目的は、秘匿することが厳しく要求される個人情報としての生体情報の漏洩を防ぐことが可能な生体情報管理システム、生体情報管理装置、及び生体情報管理方法を提供することにある。
【課題を解決するための手段】
【０００９】
本発明の一態様としての生体情報管理システムは、利用者の生体情報を測定する測定装置と、前記利用者の生体情報を管理する生体情報管理装置とが互いに情報を送受信する生体情報管理システムであって、前記測定装置は、利用者の生体情報に関する測定値を複数回、測定する生体情報測定部と、複数回にわたって測定された前記測定値の差分である測定差分値を算出する算出部と、前記生体情報測定部によって測定された、少なくとも１回の測定における測定値、及び前記測定差分値を記憶する記憶部と、前記測定差分値を前記生体情報管理装置に送信する第１通信部と、を備え、前記生体情報管理装置は、前記第１通信部によって送信された前記測定差分値を受信する第２通信部を備えるものである。
【００１０】
本発明の１つの実施形態として、前記測定装置は、前記利用者についての複数の差分値に基づいて前記利用者の健康状態を判定し、前記健康状態に対応する要注意情報を生成する判定部と、前記要注意情報を出力する出力部と、をさらに備えることが好ましい。
【００１１】
本発明の１つの実施形態として、前記生体情報管理装置は、前記利用者についての複数の測定差分値に基づいて前記利用者の健康状態を判定し、前記健康状態に対応する要注意情報を出力する判定部と、をさらに備え、前記第２通信部は、前記要注意情報を前記測定装置に送信することが好ましい。
【００１２】
本発明の１つの実施形態として、前記測定装置は、洗面所に配置されることが好ましい。
【００１３】
本発明の１つの実施形態として、前記記憶部に記憶されている前記測定値は暗号化されていることが好ましい。
【００１４】
本発明の１つの実施形態として、前記第２通信部は、専門機関装置から送信された差分データ要求に基づいて、前記利用者についての差分値と、前記利用者を識別するための利用者ＩＤとを含む差分データを前記専門機関装置へ送信することが好ましい。
【００１５】
本発明の１つの実施形態として、前記生体情報管理装置は、複数の前記利用者それぞれについての差分データと、前記専門機関装置から送信された複数の前記利用者それぞれの前記症状識別情報とに基づいて、前記差分データと前記症状との相関を推定する相関推定部を備え、前記生体情報管理装置の前記第２通信部は、前記相関推定部によって推定された前記相関を示す相関データを前記専門機関装置に送信することが好ましい。
【００１６】
本発明の一態様としての生体情報管理装置は、利用者の生体情報に関する測定値を複数回、測定する生体情報測定部と、複数回にわたって測定された前記測定値の差分である測定差分値を算出する算出部と、前記生体情報測定部によって測定された、少なくとも１回の測定における測定値、及び前記測定差分値を記憶する記憶部と、前記差分値を前記生体情報管理装置に送信する第１通信部と、を備えるものである。
【００１７】
本発明の一態様としての生体情報管理方法は、測定装置により、利用者の生体情報を測定する測定方法であって、利用者の生体情報に関する測定値を複数回、測定するステップと、複数回にわたって測定された前記測定値の差分である測定差分値を算出するステップと、前記測定された、少なくとも１回の測定における測定値、及び前記測定差分値を記憶するステップと、前記差分値を生体情報管理装置に送信するステップと、を含むものである。
【発明の効果】
【００１８】
本発明によれば、個人情報としての生体情報の漏洩を防ぐことができ、利用者が装置を装着することなく、簡易な装置で、利用者に負担をかけること無く生体情報を取得することができる。
【図面の簡単な説明】
【００１９】
【図１】第１の実施形態に係る生体情報管理システムの構成例を示すブロック図である。
【図２】図１に示す測定装置の記憶部が記憶するデータの一例を示す図である。
【図３】図１に血圧差分値及び血圧それぞれの時系列変化を示すグラフの一例を示す図である。
【図４】図１に生体情報管理装置の記憶部が記憶するデータの一例を示す図である。
【図５】第１の実施形態に係る生体情報管理システムの生体情報管理方法における差分データ処理を示すシーケンス図である。
【図６】第１の実施形態に係る生体情報管理システムの生体情報管理方法における相関データ処理を示すシーケンス図である。
【図７】第１の実施形態に係る生体情報管理システムの生体情報管理方法における診療予約処理を示すシーケンス図である。
【図８】第２の実施形態に係る生体情報管理システムの生体情報管理方法を示すシーケンス図である。
【図９】第３の実施形態に係る生体情報管理システムの生体情報管理方法を示すシーケンス図である。
【発明を実施するための形態】
【００２０】
以下、本発明の第１の実施形態について図面を参照して説明する。
【００２１】
まず、図１を参照して第１の実施形態の生体情報管理システム１について説明する。図１は第１の実施形態に係る生体情報管理システム１の概略構成図である。
【００２２】
図１に示すように、生体情報管理システム１は、１つ以上の測定装置２と、生体情報管理装置３と、１つ以上の専門機関装置４とを備える。また、測定装置２と生体情報管理装置３とは通信ネットワークを介して互いに情報を送受信する。また、生体情報管理装置３と専門機関装置４とは通信ネットワークを介して互いに情報を送受信する。
【００２３】
測定装置２は、利用者が高い頻度で存在し、所定の時間（数秒程度）、直立して、静止する可能性が高いと考えられる場所、例えば、住宅内の洗面所に設置される。測定装置２は、撮像部２０と、認証部２１と、生体情報測定部２２と、壁面温度測定部２３と、算出部２４と、記憶部２５と、判定部２６と、出力部２７と、入力部２８と、通信部２９（第１通信部）を備える。
【００２４】
撮像部２０は、被写体としての利用者を撮像して、該利用者の像を含む可視画像（静止画像及び動画像）を生成する。撮像部２０は、被写体から放出された赤外線により、該利用者及び利用者周辺の壁面についての赤外画像を生成する。利用者周辺の壁面は、例えば、利用者の背面の壁としてもよい。
【００２５】
認証部２１は、利用者を認証することによって該利用者の利用者ＩＤを特定する。具体的には、認証部２１は、撮像部２０によって生成された可視画像に含まれる、利用者の顔の像を公知の認証技術により認証する。具体的には、認証部２１は、利用者の顔の像から特徴量（認証情報）を検出し、検出した認証情報が記憶部２５に記憶されていない場合、測定装置２において利用者を識別する利用者ＩＤを認証情報に付与して記憶部２５に記憶させる。認証部２１は、検出した認証情報が記憶部２５に記憶されている場合、撮像された利用者が該認証情報に付与されている利用者ＩＤに係る利用者であると認証する。
【００２６】
また、認証部２１は、撮像部２０によって生成された可視画像に含まれる、利用者の顔の像に基づいて、公知の手法を用いて、該利用者の性別及び年齢を推定してもよい。この場合、認証部２１は、推定された性別及び年齢を利用者ＩＤに関連付けて記憶部２５に記憶させる。なお、記憶部２５には、利用者の操作による予めの設定により性別及び年齢が記憶されてもよい。
【００２７】
生体情報測定部２２は、生体情報に関する測定値を複数回にわたって測定する。生体情報に関する測定値は、例えば、血圧、姿勢の歪みを示す姿勢値、体温を含む。
【００２８】
例えば、生体情報測定部２２は、利用者の血圧を測定する。具体的には、生体情報測定部２２は、撮像部２０によって生成された可視画像（動画像）に含まれる利用者の肌を表す領域の輝度変化を検出する。さらに、生体情報測定部２２は、輝度変化に基づいて脈拍の時間変化を算出し、該脈拍の時間変化に基づいて血圧（最高血圧及び最低血圧）を決定する。
【００２９】
また、生体情報測定部２２は、例えば、利用者の身体の歪みを示す姿勢値を測定する。具体的には、生体情報測定部２２のカメラは、撮像部２０によって生成された可視画像に含まれる利用者の身体の少なくとも一部の像に基づいて、公知の方法により、利用者の肩水平ライン、背骨垂直ライン、背骨前傾ラインそれぞれに関する歪みを示す姿勢値を決定する。
【００３０】
生体情報測定部２２は、例えば、利用者の体温を測定する。生体情報測定部２２は、撮像部２０によって生成された赤外画像における利用者の像を含む領域に基づいて公知の方法により利用者の体温を決定する。
【００３１】
壁面温度測定部２３は、血圧、姿勢値、又は体温が測定されたときの、利用者の近傍に位置する壁面温度を測定する。具体的には、壁面温度測定部２３は、撮像部２０によって生成された赤外画像における壁面の像を含む領域に基づいて、公知の方法により、壁面温度を決定する。
【００３２】
算出部２４は、複数回にわたって測定された測定値の差分である測定差分値を算出する。具体的には、算出部２４は、初回の測定以外における測定値の、初回測定における測定値に対する差分である測定差分値を算出する。初回の測定における測定値は暗号化されて、後述するように記憶部２５に記憶されている。
【００３３】
具体的には、算出部２４は、生体情報測定部２２によって血圧が測定される毎に、記憶部２５に記憶されている初回の測定時の血圧に対する差分である血圧差分値を算出する。
【００３４】
また、算出部２４は、生体情報測定部２２によって姿勢値が測定される毎に、記憶部２５に記憶されている初回の測定時の姿勢値に対する差分である姿勢差分値を算出する。さらに具体的には、生体情報測定部２２によって測定された利用者の肩水平ラインの、初回の測定時に記憶部２５に記憶された肩水平ラインに対する差分である肩水平差分値を算出する。同様にして、算出部２４は、背骨垂直ライン及び背骨前傾ラインそれぞれについての背骨垂直差分値及び背骨前傾差分値を算出する。
【００３５】
記憶部２５は、差分データを記憶する。差分データは利用者ＩＤと、測定日時と、初回に測定され、暗号化された測定値とが含まれる。また、差分データには、生体情報測定部２２による測定毎に算出部２４によって算出された、初回の測定値との差である測定差分値が含まれる。さらに、各測定差分値に関連付けて、該測定差分値に係る測定値が測定されたときの壁面温度がさらに含まれてもよい。また、差分データには、初回に測定された測定値に関連付けて該測定値が測定されたときの壁面温度が含まれてもよい。なお、記憶部２５は、初回の測定時に測定された測定値ではなく、任意の回で測定された少なくとも１回分の測定値とその差である測定差分値とを記憶してもよい。測定差分値は、例えば、血圧差分値、姿勢差分値、及び体温差分値である。
【００３６】
例えば、図２に示すように、記憶部２５は、血圧差分データを記憶する。血圧差分データには、利用者ＩＤと、測定日時と、生体情報測定部２２によって初回に測定され、暗号化された血圧とが含まれる。また、血圧差分データには、生体情報測定部２２による測定毎に算出部２４によって算出された血圧差分値が含まれる。さらに、血圧差分データには、各血圧差分値に関連付けて、該血圧差分値に係る血圧が測定されたときの壁面温度が含まれてもよい。また、血圧差分データには、初回に測定された血圧に関連付けて該血圧が測定されたときの壁面温度が含まれてもよい。図２に示す例では、記憶部２５が、最低血圧と、最低血圧差分値とを記憶する例を示しているが、記憶部２５は、最高血圧と、最高血圧差分値とを記憶してもよい。
【００３７】
同様にして、記憶部２５は、姿勢差分値データを記憶する。姿勢差分値データには、利用者ＩＤと、測定日時と、生体情報測定部２２によって初回に測定され、暗号化された姿勢値とが含まれる。また、姿勢差分値データには、生体情報測定部２２による測定毎に算出部２４によって算出された姿勢差分値が含まれる。さらに、各姿勢差分値に関連付けて、該姿勢差分値に係る姿勢が測定されたときの壁面温度が含まれてもよい。
【００３８】
同様にして、記憶部２５は、体温差分データを記憶する。体温差分データには、利用者ＩＤと、測定日時と、生体情報測定部２２によって初回に測定され、暗号化された体温とが含まれる。また、体温差分データには、生体情報測定部２２による測定毎に算出部２４によって算出された体温差分が含まれる。さらに、体温差分データには、各体温差分値に関連付けて、該体温差分値に係る体温が測定されたときの壁面温度が含まれてもよい。
【００３９】
判定部２６は、記憶部２５に記憶されている複数の測定差分値に基づいて、利用者の健康状態を判定する。具体的には、判定部２６は、所定期間内における測定差分値の変化量と所定閾値とに基づいて、健康に注意を要する状態である旨、及び健康へのアドバイスを示す要注意情報を出力部２７に出力する。
【００４０】
例えば、判定部２６は、血圧差分値が１週間以内に第１の閾値以上、上昇したか否かを判定する。そして、判定部２６は、血圧差分値が１週間以内に第１の閾値以上に上昇した場合、食事制限を提案する旨の要注意情報を出力部２７に出力する。
【００４１】
他の例では、判定部２６は、姿勢差分値が１ヶ月以内に第２の閾値以上、変化したか否かを判定する。そして、判定部２６は、姿勢差分値が１ヶ月以内に第２の閾値以上、変化した場合、通院による治療を提案する旨の要注意情報を出力部２７に出力する。
【００４２】
さらに他の例では、判定部２６は、体温差分値が１日以内に第３の閾値以上、変化したか否かを判定する。そして、判定部２６は、体温差分値が１日以内に第３の閾値以上、変化した場合、市販の医薬品を服用すること、安静にしていることを提案する旨の要注意情報を出力部２７に出力する。
【００４３】
なお、判定部２６は、測定差分値と、壁面温度測定部２３によって測定された壁面温度とに基づいて利用者の健康について判定してもよい。例えば、血圧差分値が１週間以内に第１の閾値以上、上昇した場合であっても、当該１週間において壁面温度が第４の閾値以上、低下した場合、要注意情報を出力しない。壁面温度の低下によって利用者を取り巻く環境は寒くなったことが推測される。一般に、疾患を有していなくても、寒くなると血圧は上がる傾向にある。このため、判定部２６は、単に血圧差分値のみに基づくより、血圧差分値と壁面温度とに基づく方が、健康について適切な判定を行うことができると見込まれる。
【００４４】
同様にして、判定部２６は、例えば、姿勢差分値が１カ月以内に第２閾値以上、変化した場合であっても、当該１週間において壁面温度が第５閾値以上、低下した場合、要注意情報を出力しない。一般に、骨盤に大きな以上が含まれていなくても、寒くなると体が縮こまることによって姿勢差分値が大きく変化する傾向にある。このため、判定部２６は、単に姿勢差分値のみに基づくより、姿勢差分値と壁面温度とに基づく方が、健康について適切な判定を行うことができると見込まれる。
【００４５】
出力部２７は、記憶部２５に記憶されている測定差分値を該測定差分値に係る測定値が測定された日時に対応して視覚情報としてディスプレイに出力する。例えば、図３（ａ）に示すように、出力部２７は、記憶部２５に記憶されている複数の最低血圧差分値を縦軸に、該最低血圧差分値に係る最低血圧が計測された日時を横軸に取ったグラフを視覚情報としてディスプレイに出力する。出力部２７は、最高血圧差分値、姿勢差分値、体温差分値をディスプレイに表示してもよい。
【００４６】
また、出力部２７は、判定部２６から要注意情報が出力されると、該要注意情報を視覚情報としてディスプレイに出力することによって、当該ディスプレイに表示する。また、出力部２７は、判定部２６から要注意情報が出力されると、該要注意情報が示す内容を音声情報としてスピーカーに出力してもよい。なお、ディスプレイ又はスピーカーは、出力部２７が備えるものであってもよいし、測定装置２と別体としてもよい。
【００４７】
入力部２８は、利用者の入力操作により各種情報を入力する。具体的には、入力部２８は、利用者による入力操作に基づいて医療機関の予約申請を入力する。
【００４８】
通信部２９は、差分データと該差分データに係る測定値を測定した測定装置２を識別するための測定装置ＩＤを生体情報管理装置３に通信ネットワークを介して送信する。利用者ＩＤが各測定装置２において利用者を識別するための識別情報ではなく、複数の測定装置２から生体情報管理装置３に送信される差分データの利用者を一意に識別するための識別情報である場合、測定装置ＩＤは送信されなくてもよい。
【００４９】
通信部２９は、算出部２４によって測定差分値が算出されたときに、リアルタイムで差分データを生体情報管理装置３に送信することができる。また、通信部２９は、記憶部２５に記憶されている差分データを、所定の期間、例えば、１日ごと、１週間ごとにバッチで生体情報管理装置３に送信してもよい。
【００５０】
また、通信部２９は、入力部２８によって入力された、利用者ＩＤを含む予約申請を生体情報管理装置３に送信する。また、通信部２９は、生体情報管理装置３から送信された予約完了通知を予約申請に基づいて対応する専門機関装置４に送信する。
【００５１】
生体情報管理装置３は、複数の利用者に係る生体情報を管理する。生体情報管理装置３は、通信部３１（第２通信部）と、変換部３２と、記憶部３３と、相関推定部３４と、サービス提供部３５とを備える。
【００５２】
通信部３１は、１つ以上の測定装置２の通信部２９からそれぞれ送信された差分データを受信する。１つ以上の測定装置２の通信部２９からそれぞれ送信された予約申請を受信する。
【００５３】
また、通信部３１は、専門機関が所有する専門機関装置４とデータを送受信する。専門機関は、例えば、医師等により医療を提供する医療機関である。具体的には、通信部３１は、専門機関装置４から差分データ要求を受信すると、該差分データ要求に含まれる利用者ＩＤを有する、記憶部３３に記憶されている差分データを専門機関装置４に送信する。また、通信部３１は、専門機関装置４から利用者ＩＤ、症状識別情報、医薬品識別情報が含まれるカルテを画像化したカルテ情報を受信する。症状識別情報は利用者の症状を識別するための情報であり、例えば、症状識別番号、症状名とすることができる。医薬品識別情報は、医師が利用者に処方した医薬品を識別するための情報であり、例えば、医薬品識別番号、医薬品名とすることができる。
【００５４】
また、通信部３１は、測定装置２から受信した予約申請に基づき、専門機関装置４に予約申請を送信したり、専門機関装置４から予約完了通知を受信したりする。
【００５５】
変換部３２は、通信部３１が受信したカルテ情報に係る画像に含まれる利用者ＩＤ、利用者の症状識別情報、及び医薬品識別情報を、テキスト化又は数値化する。
【００５６】
記憶部３３は、通信部３１によって受信された差分データを記憶する。これにより、記憶部３３は、図４に示すように、１つ以上の測定装置２からそれぞれ送信された１人以上の利用者の差分データをそれぞれ測定装置ＩＤ及び利用者ＩＤに関連付けて記憶する。また、記憶部３３は、変換部３２によってテキスト化又は数値化された利用者ＩＤ、症状識別情報、医薬品識別情報を記憶する。
【００５７】
相関推定部３４は、記憶部３３に記憶されている、複数の利用者それぞれについての差分データと、複数の当該利用者のカルテ情報とによって構成される複数のデータをビッグデータとして、差分データの変化の傾向と症状との間に表れる相関を推定する。すなわち、相関推定部３４は、同様の変化の傾向が見られる差分データの集合を形成し、該集合に含まれる差分データの利用者が多く診断された症状を特定する。なお、相関推定部３４が相関を特定されるためのビッグデータには、利用者ＩＤは含まれない。
【００５８】
相関推定部３４によって相関が推定されると、通信部３１は、該相関を示す相関データを予め設定された宛先へ通信ネットワークを介して送信してもよい。また、相関推定部３４によって相関が推定されると、記憶部３３は、相関データを記憶してもよい。通信部３１は、専門機関装置４からの相関データ要求に基づいて相関データを送信してもよい。相関データ要求とは、各利用者についての差分データを含む情報であり、該差分データと同様の変化の傾向を示す差分データに関する相関データを要求するための情報である。
【００５９】
相関推定部３４は、記憶部３３に記憶されている、差分データと該差分データに係る利用者に提供されたアドバイスの内容とによって構成される複数のデータをビッグデータとして、差分データの変化の傾向とアドバイスの内容との間に表れる相関を推定する。例えば、相関推定部３４は、利用者に提供されたアドバイス対応する差分データにつき健康状態の改善が見られる傾向にあれば、該アドバイスが有効であると判定し、健康状態の改善が見られない傾向にあれば、該アドバイスが有効でないと判定することができる。
【００６０】
サービス提供部３５は、記憶部３３に記憶されている各利用者の差分データに基づいて、各利用者に医療の受診を提案する。医療の受診の提案には、医療機関及び診療科の提案が含まれる。
【００６１】
具体的には、サービス提供部３５は、差分データに基づいて利用者に提案する医療機関を抽出する。また、サービス提供部３５は、差分データに係る利用者の測定装置２に医療の受診の提案を含む医療機関提案情報を送信するよう通信部３１を制御する。さらにサービス提供部３５は、測定装置２から送信される利用者ＩＤを含む予約申請に基づき、該利用者ＩＤについての受信の予約申請を専門機関装置４に送信するよう通信部３１を制御する。そして、専門機関装置４から利用者ＩＤを含む予約完了通知が送信されると、該利用者ＩＤに係る測定装置２に予約完了通知を送信するよう通信部３１を制御する。
【００６２】
専門機関装置４は、通信部４１と、入力部４２と、制御部４３と、表示部４４とを備える。
【００６３】
通信部４１は、差分データ要求を生体情報管理装置３に送信する。また、通信部４１は、差分データ要求に基づき生体情報管理装置３から送信された差分データを受信する。また、通信部４１は、相関データ要求を生体情報管理装置３に送信する。
【００６４】
入力部４２は、専門機関である医療機関にて測定された利用者の測定値を入力する。また、入力部４２は、医療機関の医師によって作成された、利用者ＩＤ、利用者の症状識別情報、医薬品識別情報が含まれるカルテを画像情報化したカルテ情報を入力する。カルテ情報が入力されると、上述の通信部４１は、入力部４２によって入力されたカルテ情報を生体情報管理装置３に送信する。
【００６５】
制御部４３は、利用者を識別するための利用者ＩＤを含む差分データ要求を生体情報管理装置３に送信するよう通信部４１を制御する。また、制御部４３は、差分データ要求に基づいて生体情報管理装置３から送信された差分データと、入力部４２が入力した最低血圧とに基づいて、差分データに含まれる最低血圧差分値に係る最低血圧を算出する。図３に示す例を用いて説明すると、制御部４３は、３月９日に測定された「８０．５」という値の最低血圧と、図３（ａ）に示すような３月１日から３月９日までに測定された最低血圧差分値の時系列変化を示す差分データとに基づいて、図３（ｂ）に示すような最低血圧の時系列変化を算出する。
【００６６】
また、制御部４３は、最低血圧が測定されたとき以降に、測定装置２による測定に基づき算出された差分データに基づいて最低血圧の時系列変化を算出することもできる。例えば、３月９日に「７９」という値の最低血圧が測定された後の３月１７日に、３月１０日から３月１７日までの差分データを要求する差分データ要求を測定装置２に送信するよう通信部２９を制御してもよい。この場合、制御部４３は、通信部２９が受信した３月１０日から３月１７日までの差分データと、３月９日の最低血圧とに基づいて、３月１０日から３月１７日までの最低血圧の時系列変化を算出する。
【００６７】
同様にして、制御部４３は、差分データに含まれる、最高血圧差分値に係る最高血圧、姿勢差分値に係る姿勢値、及び体温差分値に係る体温を算出する。
【００６８】
表示部４４は、制御部４３によって算出された測定値を、対応する日付とともに表示する。例えば、表示部４４は、図３（ｂ）に示したように、制御部４３によって算出された血圧を、対応する日付とともに表示する。同様にして、表示部４４は、制御部４３によって算出された姿勢値を対応する日時とともに表示する。
【００６９】
次に、生体情報管理システム１による生体情報管理方法の差分データ処理について、図５を参照して説明する。図５は、生体情報管理方法の差分データ処理を示すシーケンス図である。
【００７０】
まず、認証部２１は利用者を認証することによって利用者ＩＤを特定する（ステップＳ１１）。
【００７１】
ステップＳ１１で利用者が認証されると、生体情報測定部２２が利用者の生体情報の測定値を測定する（ステップＳ１２）。
【００７２】
ステップＳ１２で利用者の測定値が測定されると、壁面温度測定部２３は壁面温度を測定する（ステップＳ１３）。なお、ステップＳ１２及びステップＳ１３の処理は、いずれが先に行われてもよい。
【００７３】
ステップＳ１２で測定値が測定され、ステップＳ１３で壁面温度が測定されると、算出部２４は、既に記憶部２５に記憶されている、初回に測定された測定値に基づいて、測定差分値を算出する（ステップＳ１４）。
【００７４】
ステップＳ１４で測定差分値が算出されると、判定部２６は、測定差分値に基づく判定を行い、該判定の結果に応じた要注意情報を出力部２７に出力する（ステップ１５）。
【００７５】
ステップＳ１５で要注意情報が出力されると、出力部２７はディスプレイに要注意情報を表示するか、スピーカーにより音声で出力する（ステップＳ１６）。
【００７６】
一方、ステップＳ１４で測定差分値が算出されると、記憶部１７は、利用者ＩＤ、初回の測定値、測定差分値等を含む差分データを記憶する（ステップＳ１７）。
【００７７】
また、ステップＳ１５で測定差分値が算出されると、通信部２９は、差分データを生体情報管理装置３に送信する（ステップＳ１８）。
【００７８】
ステップＳ１８で差分データが送信されると、生体情報管理装置３の通信部３１が差分データを受信し、記憶部３３が受信された差分データを記憶する（ステップＳ１９）。
【００７９】
一方、専門機関装置４の入力部４２は、専門機関である医療機関で測定された生体情報の測定値、及び利用者ＩＤを入力する（ステップＳ２０）。
【００８０】
ステップＳ２０で測定値及び利用者ＩＤが入力されると、制御部４３の制御に基づき、通信部４１が利用者ＩＤを含む差分データ要求を生体情報管理装置３に送信する（ステップＳ２１）。
【００８１】
ステップＳ２１で差分データ要求が送信されると、生体情報管理装置３の通信部３１は、当該利用者ＩＤを含む差分データを専門機関装置４に送信する（ステップＳ２２）。
【００８２】
ステップＳ２２で差分データが送信されると、通信部４１が該差分データを受信する。そして、制御部４３は、差分データと、ステップＳ２０で入力された測定値とに基づいて、差分データに含まれる差分値に係る測定値を算出する（ステップＳ２３）。
【００８３】
ステップＳ２３で複数の測定値が算出されると、各測定値を、各測定値を測定した日付とともに表示することによって、測定値の時系列変化を表示する（ステップＳ２４）。
【００８４】
次に、生体情報管理システム１による生体情報管理方法の相関データ処理について、図６を参照して説明する。図６は、生体情報管理方法の相関データ処理を示すシーケンス図である。本相関データ処理が開始されるときには、既に上述の差分データ処理が行われ、複数の利用者に係る差分データが記憶部３３に記憶されている。
【００８５】
まず、専門機関装置４の入力部４２は、医療機関の医師によって作成されたカルテを画像情報化したカルテ情報を入力する（ステップＳ３１）。
【００８６】
ステップＳ３１でカルテ情報が入力されると、通信部４１は、生体情報管理装置３にカルテ情報を送信する（ステップＳ３２）。
【００８７】
ステップＳ３２でカルテ情報が送信されると、変換部３２は、カルテ情報をテキスト化又は数値化する（ステップＳ３３）。
【００８８】
ステップＳ３３でカルテ情報がテキスト化又は数値化されると、記憶部３３は、テキスト化又は数値化されたカルテ情報を記憶する（ステップＳ３４）。
【００８９】
ステップＳ３４でカルテ情報が記憶されると、相関推定部３４は、記憶部３３に記憶されている、差分データと該差分データに係る利用者のカルテ情報とによって構成される複数のデータをビッグデータとして、差分データの変化の傾向と症状との間に表れる相関を推定する（ステップＳ３５）。
【００９０】
ステップＳ３５で相関が推定されると、記憶部３３は、相関を示す相関データを記憶する（ステップＳ３６）。
【００９１】
一方、専門機関装置４の通信部４１は、生体情報管理装置３に相関データ要求を送信する（ステップＳ３７）。
【００９２】
ステップＳ３７で相関データ要求が送信されると、相関推定部３４は、相関データ要求に含まれる差分データ群と同様の時系列変化を示す差分データと症状との間に推定された相関を表す相関データを記憶部３３から抽出する（ステップＳ３８）。
【００９３】
ステップＳ３８で相関データが抽出されると、通信部３１は抽出された相関データを専門機関装置４に送信する（ステップＳ３９）。
【００９４】
ステップＳ３９で相関データが送信されると、通信部４１が相関データを受信し、表示部４４が相関データをディスプレイに表示する（ステップＳ４０）。
【００９５】
次に、生体情報管理システム１による生体情報管理方法のサービス提供支援処理について、図７を参照して説明する。図７は、生体情報管理方法のサービス提供支援処理を示すシーケンス図である。
【００９６】
まず、通信部３１は、測定装置２に医療機関の提案打診を送信する（ステップＳ５１）。
【００９７】
ステップＳ５１で医療機関の提案打診が送信されると、測定装置２は利用者の入力操作により、生体情報管理装置３に提案を依頼する（ステップＳ５２）。
【００９８】
ステップＳ５２で提案が依頼されると、生体情報管理装置３は、提案依頼にかかる利用者に対して医療機関を提案する（ステップＳ５３）。
【００９９】
ステップＳ５３で医療機関が提案されると、測定装置２は利用者の入力により医療機関を決定する（ステップＳ５４）。
【０１００】
ステップＳ５４で医療機関が決定されると、生体情報管理装置３は、医療機関への受診の予約申請を専門機関装置４に送信する（ステップＳ５５）。
【０１０１】
ステップＳ５５で予約申請が送信されると、専門機関装置４は予約処理を行う（ステップＳ５６）。
【０１０２】
ステップＳ５６で予約処理が行われると、専門機関装置４は予約完了通知を生体情報管理装置３へ送信する（ステップＳ５７）。
【０１０３】
ステップＳ５７で予約完了通知が送信されると、生体情報管理装置３の通信部３１は受診した予約完了通知を測定装置２に送信する（ステップＳ５８）。
【０１０４】
ステップＳ５８で予約完了通知が送信されると、測定装置２の通信部２９は予約完了通知を受信し、出力部２７がディスプレイに予約完了通知を出力することにより、当該予約完了通知を表示する（ステップＳ５９）。
【０１０５】
以上のように、第１の実施形態では、測定装置２は、生体情報が測定される毎に、記憶部２５に記憶されている初回の測定値に対する差分である差分値を算出する。そして、測定装置２は、算出された差分値を生体情報管理装置３に送信する。そのため、仮に悪意のある者が不正に生体情報を入手しようとして不正アクセス又は盗聴を試みても、差分値のみが漏洩されることになる。したがって、個人にとって重要な秘匿すべき生体情報を他者に取得されるのを防ぐことができる。
【０１０６】
また、第１の実施形態では、認証部２１はカメラが利用者を撮像した画像を用いて利用者を認証する。このため、利用者が操作を行ったり、認証装置に接触したりする必要がなく、利用者の負荷を低減することができる。また、生体情報測定部２２、生体情報測定部２２、壁面温度測定部２３はカメラが利用者を撮像した画像を用いて、それぞれ血圧、姿勢値、体温を測定する。このため、利用者が測定装置２に接触することなく、衣服を脱着することなく、血圧、姿勢値、体温をそれぞれ測定することができ、測定に係る利用者の手間、心理的負担といった負荷を軽減することができる。
【０１０７】
また、第１の実施形態では、判定部２６は、血圧及び姿勢値の変化量に加えて、壁面温度を用いて、利用者の健康状態を判定する。一般に、利用者の生体情報が測定される環境の温度は、該生体情報へ影響を与えることがある。特に、洗面所内で生体情報が測定される場合、洗面所は他の部屋に比べて小さいため、環境の温度は壁面からの放射の影響を受けやすい。また、壁面温度は空気温度に比べて安定している。そのため、環境の温度に相関が高いと見込まれる壁面温度に基づくことによって、より適切に健康状態を判定することができる。また、判定部２６が壁面温度を利用する代わりに、空気温度を利用しないため、測定装置２は温度センサーを備える必要がなく、簡易な構成とすることができる。
【０１０８】
また、第１の実施形態では、利用者が高い頻度で存在する場所に測定装置２が設置されるため、利用者のストレスを伴わずに高い頻度で生体情報が測定される。そのため、利用者の健康に異変が生じた場合に、早期に異変を認識することができる可能性が高まる。また、利用者は、健康への異変を発見するために定期的に通院することによる時間拘束を回避することができる。また、早期に異変を認識することによって、痛み等の実害を回避でき、自らの健康に関する悩みを減少させることができることがある。また、未病領域の情報が充実することによって、予防医療の発展に寄与することができる。また、利用者が早期に異変を認識して適切な対応をとることによって、利用者の家族の心理的負担、経済的負担、時間的拘束を減少させることができる。
【０１０９】
また、第１の実施形態では、専門機関装置４は、利用者が医療機関で初めて診察を受ける前までの体温、血圧、姿勢値を取得することができる。これまでは、専門機関の医者等が、利用者の、現在の症状に至るまでの経緯を知る方法は、患者へのヒアリング調査に限られていた。しかし、このように専門機関装置４が測定値と差分データとに基づいて、過去の生体情報を算出することによって、医者は不具合の原因となった時期、変化の状況、治療の効果確認を知ることができ、より一層適切に対応することができる。
【０１１０】
また、第１の実施形態では、専門機関装置４は、各利用者について測定装置２から送信され、生体情報管理装置３に記憶されている差分データを受信することができるため、専門機関装置４を所有する医療機関の医師は、診察または治療後の経過を確認するために、利用者が医療機関を訪れなくても生体情報の差分データを認識することができる。そのため、医師、利用者及びその家族の負担を低減することができる。すなわち、本生体情報管理システム１は遠隔診断のツールとして利用され得る。
【０１１１】
また、第１の実施形態では、生体情報管理装置３の相関推定部３４は、差分データの変化の傾向と症状との間に表れる相関を推定し、推定された相関を示す相関データを記憶する。すなわち、病気に至る経過を把握するビッグデータが構築されることになり、予防医療発展に貢献することができる。また、差分データに基づいて、相関データを用いることにより、医者は、生体情報について迅速かつ適切に判断することができ、医師の不足による多忙な状況の回避策の一つになり得る。
【０１１２】
したがって、本生体情報管理システム１は、超高齢社会に重要な役割をもつといえる。若年層が減少している日本において、高齢者のみならず、働き盛りの世代が健康な状態を長く維持することは、若年者の負担軽減に直結する。現在の高齢者や１０年後の高齢者の医療費負担、医療機関の人的負担、経済的負担が若年者の年金にのしかかる可能性が大きいからである。高齢者への介護や付添に割かれる時間、金銭を低減することは若年者へのメリットとなる。当然、健康な状態が維持できれば就業できる中高齢者が増え労働人口減少の抑制に寄与する。
【０１１３】
また、第１の実施形態では、生体情報管理装置３は、差分データの変化の傾向とアドバイスの内容との間に表れる相関を推定する。このため、予防医療について、生活上のアドバイスとその効果を確認することができる。例えば、「運動をせよ」というアドバイスに対し、効果が出ていなければこのアドバイス自体に意味がないことを知ることができる。したがって、判定部２６が出力する要注意情報に示されるアドバイスを改善することができる。
【０１１４】
また、第１の実施形態では、生体情報測定部２２は、血圧及び姿勢値を測定する。一般に、糖尿病は万病に通じるとされ、警戒の必要性が高い。糖尿病に対し関連が強いとされるのは、高血圧である。高血圧は、循環器系の障害の原因にもなるため、投薬が必要になる前に兆候を探ることが望まれる。また、体の歪みから、肩こり、頭痛などの症状を起こすことや、うつ病につながるケースがあることが知られている。内臓の疾患から体がゆがむこともあり、体のゆがみを早期に把握することは、健康維持に有効である。したがって、生体情報測定部２２が血圧及び姿勢値に基づいて要注意情報を出力することは、健康の維持に大きく寄与すると考えられる。
【０１１５】
また、第１の実施形態では、相関推定部３４は、複数の利用者にかかる複数の差分データと症状との間に表れる相関を推定する。このとき、相関推定部３４は、利用者ＩＤを用いずに相関を推定し、記憶部３３は、利用者ＩＤを用いずに相関データを記憶する。このため、相関データについての不正アクセス、盗聴があった場合にも生体情報及び症状に対応する利用者を識別するための情報が漏洩することはない。したがって、秘匿を要求される個人の病気等に関する情報の漏洩を防ぐことができる。
【０１１６】
次に、本発明の第２の実施形態について図面を参照して説明する。
【０１１７】
第２の実施形態における生体情報管理システム５は、第１の実施形態の生体情報管理システム１と同様に、１つ以上の測定装置２と、生体情報管理装置３と、１つ以上の専門機関装置４とを備える。また、測定装置２と生体情報管理装置３とは通信ネットワークを介して互いに情報を送受信する。また、生体情報管理装置３と専門機関装置４とは通信ネットワークを介して互いに情報を送受信する。なお、第１の実施形態における生体情報管理システム１と同様の構成ブロックについては同一の参照符号を付して、適宜、説明を省略する。
【０１１８】
第２の実施形態においては、専門機関装置４を所有する専門機関は食サービス提供機関であるという点が第１の実施形態と異なる。
【０１１９】
生体情報管理装置３の通信部３１は、サービス提供部３５による制御に基づいて各種情報を測定装置２及び専門機関装置４に送信する。また、通信部３１は、測定装置２及び専門機関装置４から各種情報を受信する。
【０１２０】
記憶部３３は差分データの変化量に、食サービスの提案を示す食サービス提案情報を対応付けた食サービス提案テーブルを記憶する。
【０１２１】
サービス提供部３５は、測定装置２の利用者に対して食生活提案を行う。
【０１２２】
具体的には、サービス提供部３５は、記憶部３３に記憶されている差分データに係る利用者の測定装置２に対して、食サービス提案を打診する。食サービス提案とは、利用者の健康に適する食生活に関する提案であり、例えば、食事のメニュー、摂取すべき栄養等の提案である。
【０１２３】
さらに具体的には、サービス提供部３５は測定装置２に、食生活提案打診情報を送信するよう通信部３１を制御する。サービス提供部３５が食生活提案打診を送信するタイミングは適宜設計され、例えば、通信部３１が差分データの変化量が所定閾値以上であるときとすることができる。また、サービス提供部３５が食生活提案打診を送信するタイミングは、所定の期間おきであってもよいし、通信部３１が測定装置２から差分データを受信したときでもよい。
【０１２４】
サービス提供部３５は、通信部３１が測定装置２から提案依頼を受信すると、食サービスを提案する。例えば、サービス提供部３５は、提案依頼に含まれる利用者ＩＤに対応して記憶部３３に記憶されている差分データの変化量に対応付けられている食サービス提案情報を抽出する。そして、サービス提供部３５は、抽出された食サービス提案情報を測定装置２に送信するよう通信部３１を制御する。
【０１２５】
また、サービス提供部３５は、通信部３１が食サービス決定情報を受信すると、食品を提案する。例えば、サービス提供部３５は、食サービス決定情報に含まれる食品サービスに基づいて食品を抽出する。そして、サービス提供部３５は、食品を示す食品提案情報を測定装置２に送信するよう通信部３１を制御する。
【０１２６】
また、サービス提供部３５は、通信部３１が食品決定情報を受信すると、該食品決定情報に含まれる食品の配送を手配する。さらに具体的には、サービス提供部３５は、食品の配送指示を専門機関装置４に送信するよう通信部３１を制御する。サービス提供部３５は、通信部３１が配送指示の受付を示す予約受付情報を専門機関装置４から受信してもよく、この場合、予約完了報告を測定装置２に送信するよう通信部３１を制御する。また、サービス提供部３５は、通信部３１が専門機関装置４から請求情報を受信すると、サービス提供部３５は、該請求情報に含まれる請求金額を集計して合計金額を算出する。そして、通信部３１は、サービス提供部３５の制御により、該合計金額を示す請求情報を測定装置２に送信する。
【０１２７】
専門機関装置４の通信部４１は生体情報管理装置３から各種情報を受信する。また、通信部４１は、制御部４３の制御に基づいて生体情報管理装置３に各種情報を送信する。
【０１２８】
制御部４３は、通信部４１が生体情報管理装置３から配送指示を受信すると、受信した配送指示に基づいて依頼品を配送するために、予め定められた宛先に配送依頼をしたり、ディスプレイに配送指示に係る情報を表示するよう表示部４４を制御したりする。また、制御部４３は、依頼品の配送が完了すると、該依頼品及び配送に係る金額を示す請求情報を生体情報管理装置３に送信するよう通信部４１を制御する。
【０１２９】
ここで、生体情報管理システム５による生体情報管理方法のサービス提供支援処理について説明する。図８は、サービス提供支援処理の一例を示すフローチャートである。
【０１３０】
まず、通信部３１は、測定装置２に食生活の提案打診を送信する（ステップＳ７１）。
【０１３１】
ステップＳ７１で提案打診が送信されると、測定装置２は利用者の入力操作により、生体情報管理装置３に提案を依頼する（ステップＳ７２）。
【０１３２】
ステップＳ７２で、提案が依頼されると、生体情報管理装置３は、提案の依頼にかかる利用者に対して食サービスを提案する（ステップＳ７３）。
【０１３３】
ステップＳ７３で食サービスが提案されると、測定装置２は利用者の入力により食サービスを決定する（ステップＳ７４）。
【０１３４】
ステップＳ７４で、食サービスが決定されると、生体情報管理装置３は、利用者に対して食サービスに対応する食品を提案する（ステップＳ７５）。
【０１３５】
ステップＳ７５で食品が提案されると、測定装置２は利用者の入力により食品を決定する（ステップＳ７６）。
【０１３６】
ステップＳ７６で食品が決定されると、生体情報管理装置３は、食品の配送を手配する（ステップＳ７７）。
【０１３７】
ステップＳ７７で食品の配送が手配されると、専門機関装置４は配送処理を行う（ステップＳ７８）。
【０１３８】
ステップＳ７８で配送処理が行われると、専門機関装置４は請求処理を行う（ステップＳ７９）。
【０１３９】
ステップＳ７９で請求処理が行われると、生体情報管理装置３は、請求情報に含まれる請求金額を集計して合計金額を算出する（ステップＳ８０）。
【０１４０】
ステップＳ８０で合計金額が算出されると、生体情報管理装置３は、該合計金額を示す請求情報を測定装置２に送信する（ステップＳ８１）。
【０１４１】
ステップＳ８１で請求情報が送信されると、測定装置２の出力部２７は、請求情報をディスプレイに表示する（ステップＳ８２）。
【０１４２】
以上のように、第２の実施形態では、利用者が高い頻度で存在する場所に測定装置２が設置されるため、利用者のストレスを伴わずに高い頻度で健康状態が測定される。また、健康状態の変化を示す差分データに基づいて適切なタイミングで食サービスを提案することにより、利用者は早期に健康状態に応じた食サービスを受けることができる。また、提案された食サービスに係る食品等が専門機関である食サービス提供機関から配送されるための処理が行われるため、利用者にとっての負担を増加させずに、該利用者の健康に適する食生活を送ることができる。
【０１４３】
また、第２の実施形態では、生体情報管理装置３は利用者の差分データに、利用者への提案内容、利用者に提供した食品等の情報を紐づけて管理することができる。また、生体情報管理装置３が利用者の決定に基づき、食サービス提供機関に食品の配送を手配するため、食サービス提供機関は安定して顧客を確保することができる。また、利用者は、安定して食材の供給を受けることができる。また、利用者は、自身の体調に基づき自己判断で食事を決めるのではなく、差分データに基づく健康状態に応じたメニューの提案を受けることができる。これに伴い、利用者は食事のメニューを考える手間を省くことができる。
【０１４４】
続いて、本発明の第３の実施形態について図面を参照して説明する。
【０１４５】
第３の実施形態における生体情報管理システム６は、第１の実施形態の生体情報管理システム１と同様に、１つ以上の測定装置２と、生体情報管理装置３と、１つ以上の専門機関装置４とを備える。また、測定装置２と生体情報管理装置３とは通信ネットワークを介して互いに情報を送受信する。また、生体情報管理装置３と専門機関装置４とは通信ネットワークを介して互いに情報を送受信する。なお、第１の実施形態における生体情報管理システム１と同様の構成ブロックについては同一の参照符号を付して、適宜、説明を省略する。
【０１４６】
第３の実施形態においては、専門機関装置４を所有する専門機関は、スポーツクラブ等の運動指導機関であるという点が第１の実施形態と異なる。
【０１４７】
生体情報管理装置３の通信部３１は、各種情報を測定装置２及び専門機関装置４に送信する。また、通信部３１は、測定装置２及び専門機関装置４から各種情報を受信する。
【０１４８】
記憶部３３は、差分データの変化量に、運動メニューを示す運動メニュー情報を対応付けた運動メニューテーブルを記憶する。
【０１４９】
サービス提供部３５は、測定装置２に食生活提案打診を送信するよう通信部３１を制御する。サービス提供部３５が食生活提案打診を送信するタイミングは適宜設計され、例えば、通信部３１が差分データの変化量が所定閾値以上であるときとすることができる。また、サービス提供部３５が食生活提案打診を送信するタイミングは、所定の期間おきであってもよいし、通信部３１が測定装置２から差分データを受信したときでもよい。
【０１５０】
また、サービス提供部３５は、通信部３１が運動提案打診に対応する応諾提案依頼を受信した場合、応諾提案依頼に含まれる利用者ＩＤに関連付けて記憶部３３に記憶されている差分データの変化量に基づいて運動メニューを提案する。具体的には、サービス提供部３５は、運動メニューテーブルにおいて差分データの変化量に対応付けられている運動メニュー情報を測定装置２に送信するよう通信部３１を制御する。
【０１５１】
また、サービス提供部３５は、通信部３１が運動指導機関推奨依頼を受信すると、該運動指導機関推奨依頼に基づいて運動指導を提供するスポーツクラブ等を示す運動指導機関情報を測定装置２に送信するよう通信部３１を制御する。サービス提供部３５は、運動指導機関情報から選択された運動指導機関を示す決定情報を測定装置２から受信すると、利用者ＩＤを含む加入申請情報又は予約申請情報を専門機関装置４に送信する。
【０１５２】
サービス提供部３５は、通信部３１が加入申請又は予約申請の受付を示す受付情報を専門機関装置４から受信すると、完了報告を測定装置２に送信するよう通信部３１を制御する。また、サービス提供部３５は、通信部３１が専門機関装置４から請求情報を受信すると、該請求情報に含まれる請求金額を集計して合計金額を算出し、該合計金額を含む請求情報を測定装置２に送信する。
【０１５３】
専門機関装置４の通信部４１は生体情報管理装置３から各種情報を受信する。また、通信部４１は、制御部４３の制御に基づいて生体情報管理装置３に各種情報を送信する。
【０１５４】
制御部４３は、通信部４１が生体情報管理装置３から加入申請情報又は予約申請情報を受信すると、受信した加入申請情報又は予約申請情報をディスプレイに表示するよう表示部４４を制御する。
【０１５５】
ここで、生体情報管理システム６による生体情報管理方法について図９を参照して説明する。図９は、生体情報管理の一例を示すフローチャートである。
【０１５６】
まず、通信部３１は、測定装置２に運動メニューの提案打診を送信する（ステップＳ９１）。
【０１５７】
ステップＳ９１で運動メニューの提案打診が行われると、測定装置２は利用者の入力操作により、運動メニューの提案打診に対する生体情報管理装置３に提案を依頼する（ステップＳ９２）。
【０１５８】
ステップＳ９２で、提案が依頼されると、生体情報管理装置３は、提案依頼にかかる利用者に対して運動メニューを提案する（ステップＳ９３）。
【０１５９】
ステップＳ９３で運動メニューが提案されると、測定装置２は利用者の入力による運動指導機関推奨依頼に基づいて運動メニューを決定する（ステップＳ９４）。
【０１６０】
ステップＳ９４で、運動メニューが決定されると、生体情報管理装置３は、利用者に対して運動メニューを提供する運動指導機関を提案する（ステップＳ９５）。
【０１６１】
ステップＳ９５で運動指導機関が提案されると、測定装置２は利用者の入力により運動指導機関を決定する（ステップＳ９６）。
【０１６２】
ステップＳ９６で運動指導機関が決定されると、生体情報管理装置３は、運動指導機関への加入又は参加の申請を専門機関装置４に送信する（ステップＳ９７）。
【０１６３】
ステップＳ９７で運動指導機関への加入又は参加の申請が送信されると、専門機関装置４は加入又は参加の手続きを行う（ステップＳ９８）。
【０１６４】
ステップＳ９８で加入又は参加の手続きが行われると、専門機関装置４は請求処理を行う（ステップＳ９９）。
【０１６５】
ステップＳ９９で請求処理が行われると、生体情報管理装置３は、請求情報に含まれる請求金額を集計して合計金額を算出する（ステップＳ１００）。
【０１６６】
ステップＳ１００で合計金額が算出されると、生体情報管理装置３は、該合計金額を示す請求情報を測定装置２に送信する（ステップＳ１０１）。
【０１６７】
ステップＳ１０１で請求情報が送信されると、測定装置２の出力部２７は、請求情報をディスプレイに表示する（ステップＳ１０２）。
【０１６８】
以上のように、第３の実施形態では、利用者が高い頻度で存在する場所に測定装置２が設置されるため、利用者のストレスを伴わずに高い頻度で生体情報が測定される。また、健康状態の変化を示す差分データに基づいて適切なタイミングで運動メニューを提案することにより、利用者は早期に健康状態に応じた運動することができる。また、提案された運動メニューに係る運動を行うことができる専門機関が提案され、簡易な操作で専門機関の利用を予約することができる。そのため、利用者にとっての負担を増加させずに、該利用者の健康に適する運動を行うことができる。
【０１６９】
また、第３の実施形態では、生体情報管理装置３は利用者の差分データに、利用者への提案内容、利用者に提供した運動メニュー等の情報を紐づけて管理することができる。また、生体情報管理装置３が利用者の決定に基づき、運動指導機関に加入及び参加の手続きを行うため、運動指導機関は安定して顧客を確保することができる。また、利用者は、差分データに基づく自身の健康状態に応じて、すぐに運動を開始することができる。また、利用者は、自身の体調に基づき自己判断で運動メニューを決めるのではなく、差分データに基づく健康状態に応じた、適切な運動メニューの提案を受けることができる。また、これに伴い、利用者は運動メニューを考える手間を省くことができる。
【０１７０】
また、上述の実施形態では、測定装置２の判定部２６が算出部２４によって算出された差分データに基づいて利用者の健康状態について判定したが、この限りではない。例えば、生体情報管理装置３が判定部を備えてもよい。この場合、生体情報管理装置３の判定部が差分データに基づいて健康状態を判定してもよい。また、生体情報管理装置３の通信部３１が、健康状態に対応する要注意情報を測定装置２に送信してもよい。
【０１７１】
また、上述の実施形態では、専門機関が医療機関、食サービス提供機関、運動指導機関であるとしたが、これに限られない。例えば、専門機関は生命保険機関であってもよい。この場合、サービス提供部３５は、測定装置２によって測定され、記憶部３３に記憶されている差分データの変化量に基づいて保険プランを測定装置２に送信するよう通信部３１を制御することができる。
【０１７２】
また、上述の実施形態では、測定装置２が出力部２７を備えるとしたが、この限りではない。例えば、測定装置２は、出力部２７を備えず、生体情報管理システム１は、測定装置２と別体でディスプレイ又はスピーカーを含む出力装置を備えてもよい。この場合、出力装置は、上述の出力部２７の機能を実行する。
【０１７３】
上述の実施形態及び実施例は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態及び実施例に記載の複数の構成ブロックを１つに組み合わせたり、あるいは１つの構成ブロックを分割したりすることが可能である。
【符号の説明】
【０１７４】
１    生体情報管理システム
２    測定装置
２０  撮像部
２１  認証部
２２  生体情報測定部
２３  壁面温度測定部、
２４  算出部
２５  記憶部
２６  判定部
２７  出力部
２８  変換部
２９  通信部
３    生体情報管理装置
３１  通信部
３２  変換部
３３  記憶部
３４  相関推定部
３５  サービス提供部
４    専門機関装置
４１  通信部
４２  入力部
４３  制御部
４４  表示部
【図１】
2018166700.tif 000003
【図２】
2018166700.tif 000004
【図３】
2018166700.tif 000005
【図４】
2018166700.tif 000006
【図５】
2018166700.tif 000007
【図６】
2018166700.tif 000008
【図７】
2018166700.tif 000009
【図８】
2018166700.tif 000010
【図９】
2018166700.tif 000011